(57)【要約】【課題】外反母趾予防で拇指内定筋筋力の強化で緩みたるみを無くすこと。【解決手段】従来外反母趾症状からくる親指全体の痛みと歪な曲がり症状を緩和する施術は一時的に緩和する施術する湿布薬又はテーピング等でその骨の跳びだし痛み症状の進行の回避には困難である骨の跳び出し症状の要因は足裏内部を形成している足裏部分の拇指内定筋の筋力低下が関わりその部分の血流を促し骨格間接や内臓関係の痛み症状に効課効力があるツボ指圧を施しその土踏まず部分へ接するように着脱が可能で薄い膨らみを持つマッージ兼用ツボ押し指圧部分を伸縮をするバンドへ付属設置し筋肉の緩みたるみを無くし親指の骨の跳び出し防御をし外反母趾の予防とその症状の痛みと歪な曲がり予防で身体全体の筋力の強化で骨格を守り骨格変形症状の予防と回避をし解決手段として外反母趾予坊と緩和及びツボ指圧バンドとした。【選択図】図２
2016013397.tif 000002
【特許請求の範囲】
【請求項１】
足の外反母趾の予坊と緩和をする為に弾力性があり伸縮作用のある繊維を使用し帯板状で足に巻き締め付け出来る形状で作製し足の親指部分が筒状になり容易に親指が挿入できる形状で上部表面には足裏部の通称土踏まず部分へ少しの膨らみを持たせズレ防止をし着脱が容易で足裏のマッサージを兼ねたツボ押し指圧部分を設置し上下の足の行動動作をする度に上記の効課作用を装備した外反母趾予坊と緩和及びツボ指圧バンド。
【発明の詳細な説明】
【技術分野】
【０００１】  本発明は様々なスポーツ並び女性が履くシューズハイヒール等に於いてそのスポーツ動作また歩行行動の時は自分の体重と力量の重力が加わり足首部とつま先の先端部分へ過重な負担が掛かり特に親指には多大な負担が生じて親指の骨が曲がり変形しその曲がる時には強い痛みを感じ痛みが和らぐ頃は既に足先端の親指部分が異常に変形し先端部が曲がり歪となるその原因は骨を支え固定している筋肉である足裏部分の拇指内定筋に筋力低下が生じて来たために緩みたるみが出来て骨格変形の外反母趾で足の全容が醜くなる。【０００２】  よって伸縮性の締付調整を装備したバンドを装着して骨の曲がりが皮膚を圧迫し跳び出す前にその部分を適度に締め付ける事で骨と皮膚の跳び出しを抑制し矯正して痛みを緩和させる又そのバンドは足裏部の通称土踏まず部分へ体全体を健康にすると言われている万能のツボ湧泉ツボ部分等へ薄い適度の硬さの膨らみを設置しその部分で歩行行動やスポーツ動作をする度にその上下運動で足裏部分を押してマッサージ兼ツボ押し指圧を与え筋力の強化と指圧効果を含む外反母趾予防と緩和及びツボ指圧バンドに関する。
【背景と技術】
【０００３】  近年は食文化の変動で過剰なカロリー摂取と車社会等で特に人は歩行行動が少なく運動不足等が加わりその要因で肥満体メタポリックシンドロームとなり体の全体部分が筋力低下を生じ特に肥満は行動や動作をする時に於いて加齢も加わるが下肢部分への負担が大きく特に体重を支える下肢部の脚力が筋力低下を起こす事による様々な下肢部分等への症状が多くなっている。
【０００４】  特に負担が大きく症状が出るのは脊椎や腰椎と骨盤等また足首の捻挫と足先端部親指部の骨格変形や骨折等で筋力（拇指内定筋以下足裏の筋力と記す）低下等に伴う症状が各部位に現れ特に足先端部は歩行行動時スポーツ動作等に於いては付加が掛かりやすく特に外反母趾は親指が骨格変形を生じ関節部から皮膚を押し骨が跳び出す時の症状には激痛が生じる。
【０００５】  その時の施術は痛み止の湿布薬又テーピング等で巻き跳び出す部分を固定し骨の跳び出しの痛み緩和と曲がりを抑制して一時的な予防施術が施されるが症状は進行していき悪化し親指の全体部分が曲がり進行に伴い歪な形となり足先端部分と親指全体の全容が醜くなるよって整形をするその時には盛り上った皮膚部分を切開しその跳び出た骨の間接部分を削り取り除き又内部に鋼線を入れる等の骨の矯正をする外科手術の施術方法がなされている。
【０００６】  よって従来の施術方は症状が発生し激痛を感じてから行うのが現状であり本発明のバンドは症状の兆候が発生し出した頃又症状が進行する以前に予防し原因の足裏の筋力低下が起因し筋力強化行う事を目的とし行動運動動作をする度に足裏刺激のマッツサージと指圧で足裏の筋力の緩みたるみを防止し骨の跳びだしを押し付け又ツボ押しの指圧効果等を付属併合させ親指の外反母趾予防と痛みを緩和するツボ指圧バンドであり従来の固定的な施術でなく着脱も容易で適度な締付調整で足裏部分が伸縮され足裏の拇指内定筋の筋力強化と指圧の効果もする外反母趾予防と緩和及びツボ指圧バンドである。
【先行技術文献】
【０００７】
【特許文献１】  特開  ２０１３−５６４  公報
【発明の概要】
【０００８】  上記の［特許文献１］の発明は私し山神光吉が取得をした特許でありその特許文献１に関連し本考案を発案し個別に作製するも可又連結併用合体作製する事も可能とした外反母趾予防と緩和及びツボ指圧バンドであり貼り付け又テープ等で固定せず着脱が容易なバンドとする。
【０００９】  又筋力強化を図るために動作をする度に足裏部分の土踏まず部分に当たり接する様に薄く膨らみを持たせ着脱可能な部分を設置しマッサージを兼ねたツボ押し指圧部分が伸縮するバンドの上にずれ防止でマジックバンドを設置し足裏部分の通称土踏まず部分へ合わせ貼り付け付属設置しバンドを締付け調整して足裏部の筋力強化と体力の強化を図り各症状の痛み緩和をし骨格変形の予防と外反母趾の要因である足の裏部分の筋力強化を図り足裏の緩みとたるみを無くし骨が跳び出し歪な曲がりと痛みを伴う外反母趾予防と緩和及び格部分の足裏部分の各ツボ部分を指圧する事を合わせ持つバンドである。
【発明が解決しようとする課題】
【００１０】  現代の人は歩行不足や運動不足等が要因で体全体の筋力低下で筋力の緩みたるみが発生し特に重量付加が掛かる下肢部分の足裏と親指には付加が掛かりよって起こる足先端部分の骨格変形で症状は骨が曲がり皮膚を盛り上げて跳び出す外反母趾症でその症状の痛みは激痛であり歩行行動動作等は当然のこと睡眠時に於いても痛みを伴う支障をきたし又足の先端部分曲がり足の全容が醜くなる等の症状予防と回避を課題とした。【００１１】  またその緩和施術は一時的でありその外反母趾症が発する骨が曲がり痛みの根本原因を探求し骨の跳びだしを抑制防御するには根本原因である足裏の筋力低下を強化するために足裏部の筋力増強を目的とし行動動作時は着脱が容易な外反母趾予防と緩和及びツボ指圧バンドで痛みを和らげ骨格変形の曲がりの予防と外反母趾の要因である拇指内定筋の筋力を強化し足裏の緩みたるみを無くし骨の跳び出し歪な曲がりと痛みを回避する事を課題とした。
【課題を解決するための手段】
【００１２】  従来の外反母趾の予防と回避の施術は痛み止の湿布薬又テーピングで跳び出す部分を固定し骨と皮膚の飛び出し予防の施術が施されその施術は固定化され入浴時や外出時又人と接する時等に於いては固定している為に外見が悪く湿布薬またはテーピング等その場によっては剥がす取り除く対応を行っていてるのでその時は施術はなされていない事となる。【００１３】  よって骨の跳び出し症状の要因は足裏の筋力低下が関わり一時的にその外反母趾の部分の予防と傷み緩和の施術をするのでは無く根本原因である足裏の筋力低下を強化するために足裏部の土踏まず部分へ接する様に着脱可能で薄い膨らみを作りマッサージを兼ねたツボ押し指圧部分を設置し行動や運動で足が上下作用する事により伸縮のバンドで締付け調整をし原因の足裏部分の筋力低下で筋肉の緩みたるみを無くして強化を図り骨の跳び出しを防御し外反母趾の予防とその症状からくる親指全体の曲がりの痛みと歪さの予防と回避を解決をするための手段とした。
【発明の効果】
【００１４】  本発明の外反母趾予防と緩和及びツボ指圧バンドは以上説明したよ構成からなされているので以下に記載されるような効果がえられる。【００１５】  加齢と供に自然摂理で筋力の低下は仕方は無いが一般の人達は運動不足等が要因で下肢部等の特に足裏へは体の全重量の付加が掛かり歩行や運動動作等の時に於いて骨が間接部から曲がり皮膚を盛り上げ跳び出す兆候症状時に伸縮作用のバンドで締付け調整をし原因の足裏部分の筋力強化で筋肉の緩みたるみを無くして強化をする事で骨の跳び出し曲がり痛みの外反母趾症状が緩和されバンドを装着する事によりその進行の防御が出来る効果がある。【００１６】  よってその外反母趾症状の兆候に合わせバンドを巻き調整し締め付けその時に押して指圧をする部分に合わせ装備する事で歩行・運動動作の上下運動をする事によってマッサージ兼ツボ押しの指圧効果が各身体の部分へ効果が現れる又この外反母趾予防と緩和及びツボ指圧バンドを設置装着し上に靴下を履けば外見には目立たず湿布薬と違い剥がす手間もなくまた着脱も容易な効果も得られる外反母趾予防と緩和及びツボ指圧バンドである。
【図面の簡単な説明】
【００１７】
【図１】  （Ａ）外反母趾症状の初期段階の写真表示で親指が曲がり出し痛みが生じる。  （Ｂ）外反母趾症状の中期段階の写真表示で親指が曲がり激痛が生じ歩行・運動行動や睡眠時に於いても激痛が発生する。  （Ｃ）外反母趾症状の後期段階の写真表示で親指が曲がり歪となり足の親指部の全容が醜くなり歩行や運動行動時に痛みを感じ支障をきたす。
【図２】  （Ｓ）着脱可能な薄い膨らみ部分でマッサージ兼用のツボ押しの指圧部分とそれを装着した（１）外反母趾予坊と緩和及びツボ指圧バンド上で右足の親指を（２）部分へ挿入装着する外反母趾予坊と緩和及びツボ指圧バンドの平面図。
【図３】  足裏部分の通称土踏まず部分の各症状に効課がある部位を示しツボ指圧をする事で身体に効課があり（４）部分は親指から足内側に掛けて尾骨．脊椎．頚椎等のに関するツボで（５）（６）部分は腎臓機能強化で骨の痛みを緩和（７）の部分は肝臓機能の低下で背中が痛くなる症状時はこの部分をもみほぐすと痛み緩和をし（３）は万能ツボの湧泉ツボで疲労回復し体調整えるツボ部分等を示した。
【図４】  （１）外反母趾予坊と緩和及びツボ指圧バンドを（Ｙ）左足へ装着した写真表示であり（Ｚ）右足と（Ｙ）左足とはバンドの巻く方向が違いよって留める固定の箇所も違ってくる（Ｚ）右足に（１）のバンドを巻く時は左方向に巻き（Ｙ）左足は右方向に巻き（１）バンド後尾を（Ｍ）のマジックで留めた写真表示である。
【００１８】  よって（Ｚ）右足用は左方向に巻きしめ（Ｗ）の足の側面部で（Ａ・Ｂ・Ｃ）外反母趾部分を押さえ締め（Ｕ）足裏部分から締め（Ｋ）足の甲の上部分で（１）バンドの後尾を（Ｍ）マジック部で留め固定しまた（Ｙ）左足用は右方向に（１）バンドを巻き（Ｗ）の足側面部で（Ａ・Ｂ・Ｃ）外反母趾部分を押さえ締め（Ｋ）足の甲上部分で（１）バンドの後尾を（Ｍ）マジック部で留めた形態の写真表示をした。
【発明を実施するための形態】
【００１９】  本発明の実施の形態について図面を参照し説明すると［図１］の（Ａ）（Ｂ）（Ｃ）は外反母趾症状の進行の経過を写真で表し（Ａ）は初期段階の骨の跳びだし症状を示し（Ｂ）は症状が進行し中期段階の写真表示で親指関節の骨が皮膚を盛り上げ曲がり出しこの状態の時は激痛を伴い歩行や運動行動時又睡眠時等に於いても痛みがあり支障をきたす（Ｃ）は症状が末期に進行し後期段階の写真表示で親指が皮膚を盛り上げ歪に曲がり全容が醜くなり歩行や運動等に支障が出て動作に困難を来たし下肢部分や身体の全体が骨格変形となる。
【００２０】  よってその（１）バンドの巻き方は左右の足の形が違うため（Ｓ）の装備と（Ｗ）足の側面部分が違ってくる本図は（Ｗ）足の側面部分より曲げる部分を点線で示した（Ｚ）右足用の（１）バンドを締める場合は左方向に巻き外反母趾を押さえ（Ｋ）足の甲部分で（Ｍ）マジックバンドで留める［図４］のような形態にし容易に締め付け緩め着脱ができる（１）外反母趾予坊と緩和及びツボ指圧バンドで実施するための形態とした。
【００２１】  また外反母趾の要因である足裏部の拇指内定筋の筋力強化を図るために足裏部分への緩みたるみを無くす事を実施の形態とし（２）の親指挿入口から親湯を入れ足裏の通称土踏まずの部分へ（Ｓ）適度の膨らみを付け装備しその上部に足裏の土踏まず部分を合わせ足を載せ（１）の外反母趾予坊と緩和及びツボ指圧バンドで骨の跳びだしを抑制するために締め付け装備をする。
お
【実施例】
【００２２】  私（７１歳）本考案を実施中の例であるがゴルフやボウリング等を行動運動中半年前頃より外反母趾の初期症状が出だし本考案を発案した者で上記のような症状を体験しよって本考案の外反母趾予坊と緩和及びツボ指圧バンドを考案し普段ゴルフやボウリング等で手首に装備するサポーターを足に装備が出来るように自分で改造し実施したところ最初は多少の違和感がありましたが慣れて来ると足に合致（フィット）しその装具を装備し歩行やスポーツ運動時等に装着しよって外反母趾症状の痛みが緩和され快適で体調も順調である。
【符号の説明】
【００２３】（Ａ）外反母趾症状の初期段階の写真表示
（Ｂ）外反母趾症状の中期段階の写真表示
（Ｃ）外反母趾症状の後期段階の写真表示
（Ｚ）右足
（Ｙ）左足
（Ｕ）足裏部分
（Ｋ）足の甲部分
（１）外反母趾予坊と緩和及びツボ指圧バンド
（Ｓ）（１）の土踏膨部分へ膨らみがあり着脱が容易で足を載せ指圧をする
（２）親指の挿入口
（ｗ）（１）のバンドの折り返し部分
（３）湧泉ツボ
（４）脊椎の痛みに揉み解すと効能があるツボ
（５）（６）腎臓の働きを活発にするツボ
（７）肝臓機能が低下し背中部分が痛いときのツボ
（８）ひじ間接が痛いときのツボ
【図１】
2016013397.tif 000003
【図２】
2016013397.tif 000004
【図３】
2016013397.tif 000005
【図４】
2016013397.tif 000006